(57)【要約】【課題】風量の増加に対しても集塵効率が高く、騒音が小さく、省エネ性の向上した空気清浄機を得る。【解決手段】筐体１内の略中央部にファンモータ３及び遠心送風機２を配置し、筐体１の下面の中央に吸込み口５ａ、その外周部に吹出し口５ｂを有する空気清浄機において、遠心送風機２の回転により生じる風を吸込み口側、吹出し口側に分離するベルマウス９と、プレフィルタ６及び脱臭フィルタ７と、遠心送風機２の外周側に配置された集塵用フィルタ４と、を備え、吸込み口５ａから吸込まれた空気は、プレフィルタ６、脱臭フィルタ７を通過し、遠心送風機２介し集塵用フィルタ４を通って吹出し口５ｂから吹出される。【選択図】  図１
2004160409.tif 000002
【特許請求の範囲】
【請求項１】
筐体内の略中央部にファンモータ及び遠心送風機を配置し、前記筐体の下面の中央に吸込み口、該吸込み口の外周部に吹出し口を有するパネルが配置され、前記吸込み口に取り外し可能とされたグリルが設けられた空気清浄機において、
前記遠心送風機の回転により生じる風を吸込み口側、吹出し口側に分離するベルマウスと、前記グリルの上部に設けられたプレフィルタ及び脱臭フィルタと、前記遠心送風機の外周側に配置された集塵用フィルタと、を備え、
前記吸込み口から吸込まれた空気は、前記グリル、前記プレフィルタ、前記脱臭フィルタを通過し、前記ベルマウス、前記遠心送風機を介して前記集塵用フィルタを通って前記吹出し口から吹出されることを特徴とする空気清浄機。
【請求項２】
請求項１に記載のものにおいて、前記集塵用フィルタがロの字形であることを特徴とする空気清浄機。
【請求項３】
請求項１に記載のものにおいて、集塵用フィルタはそれぞれが板状とされ、前記遠心送風機の外周にロの字形に配置されたことを特徴とする空気清浄機。
【請求項４】
請求項１に記載のものにおいて、前記集塵用フィルタは、その最外径が前記吸込み口より小さくされ、前記吸込み口より取り外し可能とされたことを特徴とする空気清浄機。
【請求項５】
筐体内の略中央部に遠心送風機を配置し、前記筐体の下面の中央に吸込み口、該吸込み口の外周部に吹出し口を有する空気清浄機において、前記吸込み口側に設けられたベルマウスと、前記遠心送風機の外周と前記吹出し口との間に配置された集塵用フィルタと、を設け、前記吸込み口から吸込まれた空気は、前記ベルマウス及び前記遠心送風機を介して前記集塵用フィルタを通って前記吹出し口から吹出されることを特徴とする空気清浄機。
【発明の詳細な説明】
【０００１】
【発明の属する技術分野】
本発明は、本体が天井空間内に配置され、天井面に沿って空気の取り入れ口および排出口が配置される天井埋込形の空気清浄機に関するものである。
【０００２】
【従来の技術】
従来、天井埋込形空気清浄機において、室内空間側へ臨む面にメンテナンス扉を設け、そのパネル中央部の吸込み口に塵埃を集塵するための電気集塵器を配置することが知られ、例えば、特開平９−３８５２３号公報に記載されている。
【０００３】
【特許文献１】
特開平９−３８５２３号公報
【０００４】
【発明が解決しようとする課題】
上記従来技術においては、吸込み口に電気集塵器を配置するので、ＨＥＰＡフィルタ等の集塵効率の高いフィルタを設置したものに比べ、風速に対する圧力損失は小さいが、風速が早くなればなるほど集塵効率が低下する。
【０００５】
本発明の目的は、風量の増加に対しても集塵効率が高く、騒音が小さく、省エネ性の向上した空気清浄機を提供することにある。
【０００６】
【課題を解決するための手段】
上記課題を解決するため、本発明は、筐体内の略中央部にファンモータ及び遠心送風機を配置し、筐体の下面の中央に吸込み口、該吸込み口の外周部に吹出し口を有するパネルが配置され、吸込み口に取り外し可能とされたグリルが設けられた空気清浄機において、遠心送風機の回転により生じる風を吸込み口側、吹出し口側に分離するベルマウスと、グリルの上部に設けられたプレフィルタ及び脱臭フィルタと、遠心送風機の外周側に配置された集塵用フィルタと、を備え、吸込み口から吸込まれた空気はグリル、プレフィルタ、脱臭フィルタを通過しベルマウス、遠心送風機を介して集塵用フィルタを通って吹出し口から吹出されるものである。
【０００７】
また、上記のものにおいて、集塵用フィルタがロの字形であることが望ましい。
さらに、上記のものにおいて、集塵用フィルタはそれぞれが板状とされ、遠心送風機の外周にロの字形に配置されたことが望ましい。
さらに、上記のものにおいて、集塵用フィルタは、その最外径が吸込み口より小さくされ、吸込み口より取り外し可能とされたことが望ましい。
さらに、本発明は、筐体内の略中央部に遠心送風機を配置し、筐体の下面の中央に吸込み口、該吸込み口の外周部に吹出し口を有する空気清浄機において、吸込み口側に設けられたベルマウスと、遠心送風機の外周と吹出し口との間に配置された集塵用フィルタと、を設け、吸込み口から吸込まれた空気は、ベルマウス及び遠心送風機を介して集塵用フィルタ４を通って吹出し口から吹出されるものである。
【０００８】
【発明の実施の形態】
以下、図を参照して本発明の一実施例の形態を説明する。
図１は天井埋め込み型空気清浄機の断面図、図２はパネル５の吸込み口５ａに設けられている吸込みグリル８、プレフィルタ６、脱臭フィルタ７を除いた下面図が示されている。筐体１の内部には筐体１の略中央部にファンモータ３、ファンモータ３の回転軸に遠心送風機２、遠心送風機２の回転により生じる風を吸込み口側、吹出し側に分離するためのベルマウス９を備え、遠心送風機２の外周側に細かな塵埃を集塵するための集塵用フィルタ４が配置されている。集塵用フィルタ４は例えば集塵効率９５％以上の性能を有する準ＨＥＰＡクラス以上のフィルタを示す。
【０００９】
また、筐体１の下面には中央部の吸込み口５ａに分離可能、つまり取り外し可能とされたグリル８、吸込み口５ａの外周部に吹出し口５ｂを有するパネル５が配置されている。パネル５の吸込み口５ａに設けられたグリル８の上部には、比較的大きな塵埃を集塵するプレフィルタ６、臭気を除去する脱臭フィルタ７が取付けられている。
吸込み口５ａから吸込まれた空気はグリル８、プレフィルタ６、脱臭フィルタ７を通過することにより比較的大きな塵埃を集塵あるいは脱臭され、ベルマウス９を介し、遠心送風機２を通過し、遠心送風機２の外周側に配置された集塵用フィルタ４を通過することにより、プレフィルタ６で集塵できなかった細かな塵埃が集塵され、パネル５の吹出し口５ｂから清浄された空気として吹出される。
【００１０】
以上のように、集塵効率の高いフィルタ４を遠心送風機２の外周側にロの字状に配置したので、吸込み口５ａにフィルタ４を設けたものに比べ風の通過できる面積を大きくすることができる。したがって、同一風量で比較した場合の圧力損失を低減することができる。例えば吸込み口５ａが５００ｍｍ×５００ｍｍの場合、フィルタ４の幅が吸込み口５ａと同等であれば、フィルタ４の高さＨを２５０ｍｍにすることで吸込み口５ａにフィルタ４を配置した場合に比べ２倍の面積を確保できることになる。その結果、同一風量で比較した場合、集塵効率の高いフィルタ４を通過する風速を小さくして、圧力損失を低減し、騒音を低減できる。
【００１１】
また、図３は、他の実施の形態を示し、遠心送風機２の外周側にロの字状に配置した集塵用フィルタ４を円筒形に、かつ吹出し口５ｂの内側になるような大きさとしたもので、集塵用フィルタ４の形状は簡単になり、部品点数が削減され、製作が容易となる。ただし、ロ形の集塵用フィルタ４の方が、風の通過する面積はより大きくなる。
【００１２】
図４は、さらに、他の実施の形態を示し、ロ形の集塵用フィルタ４を各面毎に分離したもの、つまりそれぞれが板状の集塵用フィルタ４が遠心送風機２の外周にロの字状に配置されている。これにより、図５に示すようにパネル５の中央部に設けられた分離可能な吸込み口５ａに設けられたグリル８、プレフィルタ６、脱臭フィルタ７を取り外すことで集塵用フィルタ４をパネル５を取り外すことなく取出すことができる。したがって、メンテナンス作業が容易になる。
【００１３】
さらに、図６（集塵用フィルタ４を収納した状態）、図７（集塵用フィルタ４を取り外した状態）に示すように遠心送風機２の外周側に設けられた集塵用フィルタ４の幅Ｗ１を吸込み口５ａの幅Ｗより小さくすることにより、グリル８、プレフィルタ６、脱臭フィルタ７を取り外すことで集塵用フィルタ４はパネル５を取り外すことなく、フィルタを分離構造としなくても取り出すことが可能になる。集塵用フィルタ４の清掃などのメンテナンス作業が容易になる。
【００１４】
【発明の効果】
以上述べたように本発明によれば、大風量で集塵効率が高く、騒音が小さく、省エネ性の向上した空気清浄機が得られる。
【図面の簡単な説明】
【図１】本発明による一実施の形態である空気清浄機を示す断面図。
【図２】図１を下からみた平面図。
【図３】他の実施の形態を示す平面図。
【図４】一実施の形態において、集塵用フィルタ分離構造を示す斜視図。
【図５】一実施の形態において、集塵用フィルタの取り外し状態を示す断面図。
【図６】他の実施の形態において、集塵用フィルタの幅Ｗ１と吸込み口の幅Ｗと関係を説明する断面図。
【図７】他の実施の形態において、集塵用フィルタの取り外し状態を示す断面図。
【符号の説明】
１…筐体、２…遠心送風機、３…ファンモータ、４…集塵用フィルタ、５…パネル、５ａ…吸込み口、５ｂ…吹出し口、６…プレフィルタ、７…脱臭フィルタ、８…グリル、９…ベルマウス。
【図１】
2004160409.tif 000003
【図２】
2004160409.tif 000004
【図３】
2004160409.tif 000005
【図４】
2004160409.tif 000006
【図５】
2004160409.tif 000007
【図６】
2004160409.tif 000008
【図７】
2004160409.tif 000009